(57)【要約】      （修正有）【課題】ＬＥＤを用いて室内照明を行う場合、ＬＥＤからの照射光を効率よく室内へ導くことが可能なシーリングライトを提供する。【解決手段】天井への取り付けを行うための取り付け部と、この取り付け部の下方に設けられる本体部１と、この本体部１に収容される光源部と、を備えたシーリングライトＣであって、光源部を構成し、本体部１の水平方向周囲に向けて光を照射するように配置される多数のＬＥＤ１２ａからなるＬＥＤ群と、このＬＥＤ群からの照射光が導入される導光板１０と、この導光板１０に導入された照射光を下方向に導出させるための光偏向手段と、を備えた。【選択図】図３
0003161425.tif 000002
【実用新案登録請求の範囲】
【請求項１】
天井への取り付けを行うための取り付け部と、
この取り付け部の下方に設けられる本体部と、
この本体部に収容される光源部と、を備えたシーリングライトであって、
前記光源部を構成し、前記本体部の水平方向周囲に向けて光を照射するように配置される多数のＬＥＤからなるＬＥＤ群と、
このＬＥＤ群からの照射光が導入される導光板と、
この導光板に導入された照射光を下方向に導出させるための光偏向手段と、を備えたことを特徴とするシーリングライト。
【請求項２】
前記ＬＥＤ群はリング状に配列され、このＬＥＤ群を保持する基板と、
前記ＬＥＤ群の水平方向外側に配置され、リング状に形成される前記導光板と、を備え、
前記導光板の下面が光照射面として機能することを特徴とする請求項１に記載のシーリングライト。
【請求項３】
前記基板の水平方向内側に配置され、リング状に形成される放熱体を備えたことを特徴とする請求項２に記載のシーリングライト。
【請求項４】
前記光偏向手段は、前記導光板に一体形成される光反射面であり、この光反射面によりＬＥＤから照射される光を下方向に反射させることを特徴とする請求項１〜３のいずれか１項に記載のシーリングライト。
【請求項５】
前記光反射面は、前記導光板の上面側に形成される多数のカットラインにより構成されることを特徴とする請求項４に記載のシーリングライト。
【請求項６】
前記カットラインの配列ピッチを前記本体部の中心部と周辺部とで異ならせていることを特徴とする請求項５に記載のシーリングライト。
【請求項７】
前記光偏向手段は、前記導光板の上面に設けられた光反射部であり、この光反射部によりＬＥＤから照射される光を下方向に反射させることを特徴とする請求項１〜６のいずれか１項に記載のシーリングライト。
【請求項８】
前記光反射部は印刷または塗装により形成されることを特徴とする請求項７に記載のシーリングライト。
【請求項９】
前記リング状に配列されるＬＥＤ群の中央部の空間にＬＥＤ群を駆動するための回路部を配置したことを特徴とする請求項２又は３に記載のシーリングライト。
【考案の詳細な説明】
【技術分野】
【０００１】
本考案は、天井への取り付けを行うための取り付け部と、この取り付け部の下方に設けられる本体部と、この本体部に収容される光源部と、を備えたシーリングライトに関するものである。
【背景技術】
【０００２】
シーリングライトは、天井に直接取り付けて使用される照明器具であり、室内全体を明るくするために住宅などの居室や事務所などの主照明として用いられることが多い。その光源としては、環形の蛍光灯が多く用いられている（例えば、下記特許文献１）。
【先行技術文献】
【特許文献】
【０００３】
【特許文献１】特開２００５−１００８０９号公報
【考案の概要】
【考案が解決しようとする課題】
【０００４】
一方、照明器具の光源としてＬＥＤ（発光ダイオード）が注目されている。蛍光灯の場合と異なり、小さなＬＥＤ（例えば、ＬＥＤチップ）を多数配置する必要があり、効率よくＬＥＤを配置する必要がある。従って、ＬＥＤからの光の照射方向をどのように設定するかは、室内全体を明るく照明するためには重要な要素になる。
【０００５】
そこで、本考案は上記実情に鑑みてなされたものであり、その課題は、ＬＥＤを用いて室内照明を行う場合、ＬＥＤからの照射光を効率よく室内へ導くことが可能なシーリングライトを提供することである。
【課題を解決するための手段】
【０００６】
上記課題を解決するため本考案に係るシーリングライトは、
天井への取り付けを行うための取り付け部と、
この取り付け部の下方に設けられる本体部と、
この本体部に収容される光源部と、を備えたシーリングライトであって、
前記光源部を構成し、前記本体部の水平方向周囲に向けて光を照射するように配置される多数のＬＥＤからなるＬＥＤ群と、
このＬＥＤ群からの照射光が導入される導光板と、
この導光板に導入された照射光を下方向に導出させるための光偏向手段と、を備えたことを特徴とするものである。
【０００７】
かかる構成によるシーリングライトの作用・効果を説明する。このシーリングライトは、天上への取り付けを行うための取り付け部と、その下方に設けられる本体部を備えている。この本体部に、多数のＬＥＤからなるＬＥＤ群（光源部）が設けられる。このＬＥＤ群は、本体部の水平方向周囲に向けて光を照射するように配置されている。この照射光は、導光板に導入され、光偏向手段により照射光を下方向に偏向させ、下方向に導出させる。上記のようにＬＥＤ群を配置することで、できるだけ広い範囲に光を照射させることができ、導光板により導入された照射光をできるだけ均一化することができる。また、光偏向手段により、導入された照射光を効率よく下方に導くことができる。その結果、ＬＥＤを用いて室内照明を行う場合、ＬＥＤからの照射光を効率よく室内へ導くことが可能なシーリングライトを提供することができる。
【０００８】
本考案において、前記ＬＥＤ群はリング状に配列され、このＬＥＤ群を保持する基板と、前記ＬＥＤ群の水平方向外側に配置され、リング状に形成される前記導光板と、を備え、前記導光板の下面が光照射面として機能することが好ましい。
【０００９】
ＬＥＤ群は、リング状に配列されるので本体部内の空間を効率よく使用して、ＬＥＤを配置することができる。また、室内への照射面もできる限り均一な明るさになるようにすることができる。上記においてリング状とは、円形に限定されるものではなく、楕円形、正方形、多角形（四角形、五角形等）等の種々のリング形が考えられる。要するに、閉じられた二次元空間を観念できればよい（以下の説明も同様である）。ＬＥＤ群の水平方向外側にリング状の導光板が設けられる。導光板のリング状に関しても、ＬＥＤ群と同様に種々のリング形を含むものである。導光板の下面が光照射面として機能し、この光照射面の形状もリング状となる。
【００１０】
本考案において、前記基板の水平方向内側に配置され、リング状に形成される放熱体を備えたことが好ましい。
【００１１】
ＬＥＤ群を保持する基板の水平方向内側に放熱体を設けることで、ＬＥＤからの発熱を効率よく逃がすことができる。放熱体をリング状に形成することで、本体部の内部の空間を効率よく使用することができる。
【００１２】
本考案に係る光偏向手段は、前記導光板に一体形成される光反射面であり、この光反射面によりＬＥＤから照射される光を下方向に反射させることが好ましい。
【００１３】
導光板に一体的に光反射面を形成することで、水平方向に導入されてきたＬＥＤ群からの照射光を下方に反射させることができる。
【００１４】
かかる光反射面は、前記導光板の上面側に形成される多数のカットラインにより構成されることが好ましい。
【００１５】
光反射面として、導光板の上面側に多数のカットラインを形成することができる。カットラインとしては、例えば、断面Ｖ字状、Ｕ字状等の適宜の断面形状を有するようにカットすることができる。多数のカットラインは、例えば、所定のピッチで多数の直線で形成することができ、ラインの方向も一方向だけでなく、種々の方向を織り交ぜた形で形成することもできる。
【００１６】
上記のカットラインの配列ピッチを前記本体部の中心部と周辺部とで異ならせていることが好ましい。
【００１７】
例えば、中心部では配列ピッチを細かくし、周辺部では配列ピッチを粗くする。これにより、導光板から導出される光の照度を照射面の全体にわたってできるだけ均一化することができる。
【００１８】
本考案に係る前記光偏向手段は、前記導光板の上面に設けられた光反射部であり、この光反射部によりＬＥＤから照射される光を下方向に反射させることが好ましい。
【００１９】
光偏向手段としては、導光板の上面に設けられた光反射部により構成することもできる。また、前述の光反射面と組み合わせてもよい。光反射部としては、例えば、白色の反射シートを導光板に上面に配置して構成することができる。
【００２０】
また、前記光反射部は印刷又は塗装により形成されてもよい。例えば、白色の印刷（塗装）を導光板の上面に行うことで、導光板の上面に向かった光を下方向へと反射させることができる。これにより、ＬＥＤ群からの照射光を効率よく照明用に利用することができる。
【００２１】
本考案において、前記リング状に配列されるＬＥＤ群の中央部の空間にＬＥＤ群を駆動するための回路部を配置したことが好ましい。
【００２２】
ＬＥＤ群からなる光源部と、回路部とを上記のように配置することで、効率よく部品配置のための空間を利用することができる。
【図面の簡単な説明】
【００２３】
【図１】シーリングライトの外観構成を示す下方から見た斜視図
【図２】シーリングライトの外観構成を示す側面図
【図３】シーリングライトの内部構造を示す断面図
【図４】導光板の構成を示す詳細図
【図５】放熱体とＬＥＤの構成を示す斜視図
【考案を実施するための形態】
【００２４】
本考案に係るシーリングライトの好適な実施形態を図面を用いて説明する。図１は、シーリングライトの外観構成を示す下方から見た斜視図であり、図２は、シーリングライトの外観構成を示す側面図である。
【００２５】
＜シーリングライトの外観構成＞
図１，２に示すように、シーリングライトＣは、本体部１と、電源コード２と、コード調整部３と、取り付け部４を備えている。本体部１の内部には、後述する光源部、導光板１０、回路部等が収容保持されている。取り付け部４は、シーリングライトＣを天井に取り付けるためのソケットであり、周知の規格に従って製作される。コード調整部３は、電源コード２が内部に収容されており、電源コード２の長さを調整することができる。これにより、シーリングライトＣの取り付け高さ等を使用環境や好みに応じて調整することができる。
【００２６】
本体部１はカバー部材１１を備えており、中央部Ｒ１は円錐状に突起した形状を含み、周辺部Ｒ２は水平面により構成される。本体部１は、板金製あるいは樹脂成形により形成される。図１に示すように、下方から見ると導光板１０はリング状の光照射面１０ｂを備えている。すなわち、照射光は、周辺部Ｒ２から照射され、中央部Ｒ１からは照射されない。
【００２７】
＜シーリングライトの内部構造＞
図３は、シーリングライトＣの内部構造を示す断面図であり、図４は導光板の構成を示す詳細図であり、図５は、放熱体とＬＥＤの構成を示す斜視図である。
【００２８】
本体部１を構成するカバー部材１１は、円錐状に形成される中央部１１Ｒ１と、水平面に形成される周辺部１１Ｒ２とを備えている。中央部１１Ｒ１には、拡大図に示すように多数のスリット１１ａが形成される。このスリット１１ａは放熱効果を高めるために設けられる。スリット１１ａの数や大きさは適宜設定することができる。周辺部１１Ｒ２の端部１１ｂは下方に折り曲げられており、導光板１０の位置決めを行いやすくする。
【００２９】
中央部Ｒ１には、図５にも示すように多数のＬＥＤ１２ａ（光源部に相当）がリング状に配置されている。多数のＬＥＤ１２ａをまとめてＬＥＤ群１２と定義する。ＬＥＤ群１２からの照射光は、図５の矢印にも示すように、水平方向外側に向けて照射される。従って、照射光は、導光板１０の内側端面１０ａから導入される。
【００３０】
ＬＥＤ１２ａの配置個数は、例えば６０個〜１００個であり、シーリングライトＣの大きさ等に応じて、適宜の個数が配置される。ＬＥＤ群１２は、フレキシブル基板１３にはんだ付けにより固定される。
【００３１】
ＬＥＤ群１２の水平方向内側に、リング状の放熱体１４が設けられている。放熱体１４はアルミニウムにより形成され、ＬＥＤ群１２から放出される熱を効率よく逃がす役割を果たす。図３に示すように、シーリングライトＣの中央部Ｒ１の下面にカバー部材１５が設けられており、円形の金属プレート（もしくは樹脂プレート）により形成される。カバー部材１５の上側に、ＬＥＤ群１２や放熱体１４が設置される。カバー部材１５の外観面と、導光板１０の光照射面１０ｂ（下面）とは、同一平面、もしくは、ほぼ同一平面になるように設けられる。光照射面１０ｂには、反射防止処理のためにノングレアコーティングが施される。
【００３２】
＜光偏向手段の構成＞
導光板１０は、透明アクリル板で形成され、その内側端面１０ａからＬＥＤ群１２からの照射光が導入され、下方を向いた光照射面１０ｂから導出される。すなわち、水平方向の照射光を偏向して下方に導出させる必要があり、そのための光偏向手段が設けられている。
【００３３】
図４において、導光板１０は、リング状であり、中央に穴が形成されている。この穴の内側に、前述のＬＥＤ群１２、フレキシブル基板１３、放熱体１４が配置される。導光板１０の上面には反射シート１６（光反射部に相当）が配置される。反射シート１６は、例えば、白色の樹脂シートであり、光の反射率が高い素材が用いられる。内側端面１０ａから導入された照射光の一部は、導光板１０に入射された後、導光板１０の上面側にも向かうが、この上面側に向かった光を反射シート１６により下方に反射させることができる。これにより、効率よく光照射面１０ｂから光を照射させることができる。
【００３４】
上記反射シート１６に代えて、導光板１０の上面１０ｃに反射率の高い印刷（塗装を含む）を行うことで光反射部を構成してもよい。例えば、白色の印刷（塗装）を行うことで、上面側に到達した光を下方に反射させることができる。
【００３５】
また、図４（ｂ）に示すように、光偏向手段としてカットライン１１ｄを多数形成してもよい。カットライン１１ｄは、導光板１０の上面１０ｃにダイヤモンドカットにより形成することができる。カットライン１１ｄは、図４（ｂ）において、多数の横ラインと縦ラインの組み合わせにより構成されている。斜めラインの組み合わせを採用してもよい。
【００３６】
カットライン１１ｄの断面形状は、例えば、Ｖ字状溝やＵ字状溝により形成される。これにより、水平方向の光を下方に向けて反射させることができる。カットライン１１ｄの配列ピッチは、適宜設定することができる。また、配列ピッチについては、中心部では配列ピッチを細かくし、周辺部では配列ピッチを粗くすることが好ましい。これにより、導光板１０から導出される光の照度を光照射面１０ｂの全体にわたってできるだけ均一化することができる。
【００３７】
図３に戻り、本体部１の中央部の空間に回路部１７が配置される。回路部１７は、電源回路、ＬＥＤ駆動回路により構成される。また、シーリングライトＣの点灯・消灯をリモコンで操作するためのセンサーも設けられる。
【００３８】
コード調整部３は、コード収容ケース３ａ内にコードを巻きつけて収容する機能を有する。電源コード２を巻きつける量を調整することで、電源コード２の長さを調整することができる。
【００３９】
＜別実施形態＞
本実施形態において、ＬＥＤは砲弾型でもよいしチップ型でもよい。ＬＥＤの発光色についても特定の色に限定されるものではない。本体部１の形状は、図３の形状に限定されるものではなく、種々の変形例が可能である。例えば、全体を扁平な円筒形としてもよい。
【００４０】
また、本体部１は下面が円形ではなく、正方形、楕円形、多角形などの種々の形状を採用することができる。本体部１の形状に応じて、内部のＬＥＤ群１２の配置も変えることができる。例えば、正方形の本体部１であれば、ＬＥＤ群１２も正方形のリング状に配置することができる。もちろん、正方形の本体部１であっても、円形のリング状にＬＥＤ群１２を配置してもよい。
【符号の説明】
【００４１】
Ｃ        シーリングライト
Ｒ１      中央部
Ｒ２      周辺部
１        本体部
２        電源コード
３        コード調整部
４        取り付け部
１０      導光板
１０ａ    内側端面
１０ｂ    照射面
１０ｃ    上面
１１      カバー部材
１１ａ    スリット
１１ｂ    端部
１１ｄ    カットライン
１２      ＬＥＤ群
１２ａ    ＬＥＤ
１３      フレキシブル基板
１４      放熱体
１５      カバー部材
１６      反射シート
１７      回路部
【図１】
0003161425.tif 000003
【図２】
0003161425.tif 000004
【図３】
0003161425.tif 000005
【図４】
0003161425.tif 000006
【図５】
0003161425.tif 000007